(57)【要約】【課題】再熱せずに給気の温湿度制御ができて省エネとなり、空調のための設備コストと運転コストを低減できる除湿空調機を得る。【解決手段】  還気を熱交換する還気処理用冷温水コイル１と、外気を熱交換する外気処理用冷温水コイル２及び水熱源ヒートポンプＡの外気処理用直膨式コイル９と、外気を加湿する加湿器５と、還気処理用冷温水コイル１を通った還気と外気処理用冷温水コイル２、外気処理用直膨式コイル９及び加湿器５を通った外気とを混合して給気する吸込み式の送風機３と、を備える。【選択図】図１
2008070097.tif 000002
【特許請求の範囲】
【請求項１】
還気を熱交換する還気処理用冷温水コイル１と、外気を熱交換する外気処理用冷温水コイル２及び水熱源ヒートポンプＡの外気処理用直膨式コイル９と、外気を加湿する加湿器５と、前記還気処理用冷温水コイル１を通った還気と前記外気処理用冷温水コイル２、前記外気処理用直膨式コイル９及び前記加湿器５を通った外気とを混合して給気する吸込み式の送風機３と、を備えたことを特徴とする除湿空調機。
【請求項２】
熱源水が還気処理用冷温水コイル１、外気処理用冷温水コイル２及び水熱源ヒートポンプＡに任意の順序で１つずつ通水されるように構成すると共に、前記外気処理用冷温水コイル２への熱源水をバイパスさせて前記外気処理用冷温水コイル２の熱源水流量を制御する第２流量制御機構１０を設けた請求項１記載の除湿空調機。
【請求項３】
還気を熱交換する還気処理用冷温水コイル１と、外気を熱交換する外気処理用冷温水コイル２と、前記還気処理用冷温水コイル１を通った還気と前記外気処理用冷温水コイル２を通った外気とを混合して給気する吸込み式の送風機３と、を備え、前記還気処理用冷温水コイル１と、前記外気処理用冷温水コイル２と、を隔てて配置し、その間に、前記送風機３を配置したことを特徴とする除湿空調機。
【請求項４】
熱源水が還気処理用冷温水コイル１及び外気処理用冷温水コイル２に任意の順序で１つずつ通水されるように構成すると共に、前記還気処理用冷温水コイル１への熱源水をバイパスさせて前記還気処理用冷温水コイル１の熱源水流量を制御する第１流量制御機構４を設けた請求項３記載の除湿空調機。
【請求項５】
送風機３の空気入口において、還気と外気の圧力差がなくなるように還気側と外気側のいずれか一方のコイルの伝熱管を丸管にしかつ他方のコイルの伝熱管を前記丸管より低圧損の楕円管にした請求項１、２、３又は４記載の除湿空調機。
【請求項６】
外気を熱交換する外気処理用冷温水コイル２及び水熱源ヒートポンプＡの外気処理用直膨式コイル９と、外気を加湿する加湿器５と、還気と前記外気処理用冷温水コイル２、前記外気処理用直膨式コイル９及び前記加湿器５を通った外気とを混合して給気する吸込み式の送風機３と、を備えたことを特徴とする除湿空調機。
【請求項７】
熱源水が外気処理用冷温水コイル２及び水熱源ヒートポンプＡに任意の順序で１つずつ通水されるように構成すると共に、前記外気処理用冷温水コイル２への熱源水をバイパスさせて前記外気処理用冷温水コイル２の熱源水流量を制御する第２流量制御機構１０を設けた請求項６記載の除湿空調機。
【請求項８】
外気を熱交換する外気処理用冷温水コイル２と、還気取入口１６からの還気と前記外気処理用冷温水コイル２を通った外気とを混合して給気する吸込み式の送風機３と、を備え、前記還気取入口１６と、前記外気処理用冷温水コイル２と、を隔てて配置し、その間に、前記送風機３を配置したことを特徴とする除湿空調機。
【請求項９】
外気取入口１７からの外気を送風機３までバイパスさせる外気ダンパ３０を設けた請求項１、２、３、４、５、６、７又は８記載の除湿空調機。
【発明の詳細な説明】
【技術分野】
【０００１】
本発明は除湿空調機に関するものである。
【背景技術】
【０００２】
従来の外気混合形の空調機では外気と還気を混合した後、冷温水コイルで冷却や除湿、加熱などを行っている。ところが、このような方式の空調機では、例えば夏期の冷房運転の場合、冷却減湿後に再熱しなければ給気の湿度制御ができないため、還気風量分の空気を余分に冷却、再熱するエネルギーが必要なうえに、冷水と温水を同時に流す４管式の熱源水回路が必要となり設備コストと運転コストが高くなる。一方、冷水のみの２管式では、再熱ができないために湿度が成り行きとなり除湿不足や冷え過ぎとなる問題がある。
【０００３】
【特許文献１】特開平４−１７４２２５号公報
【発明の開示】
【発明が解決しようとする課題】
【０００４】
また、冬期でも冷房運転し加湿を必要とする場合、空調用空気を一旦加熱し、加湿してから冷却しなければならないため、４管式の熱源水回路が必要となり、設備コストと運転コストが高くなる問題がある。
【課題を解決するための手段】
【０００５】
本発明は上記課題を解決するため、還気を熱交換する還気処理用冷温水コイルと、外気を熱交換する外気処理用冷温水コイル及び水熱源ヒートポンプの外気処理用直膨式コイルと、外気を加湿する加湿器と、前記還気処理用冷温水コイルを通った還気と前記外気処理用冷温水コイル、前記外気処理用直膨式コイル及び前記加湿器を通った外気とを混合して給気する吸込み式の送風機と、を備えたことを最も主要な特徴とする。
【発明の効果】
【０００６】
請求項１の発明によれば、夏期の冷房運転の場合、外気を外気処理用冷温水コイル２と外気処理用直膨式コイル９で冷却減湿した除湿空気と、還気を還気処理用冷温水コイル１で乾き冷却した（前記除湿空気より高温の）空気と、を所定比率で混合することで再熱せずに給気の温湿度制御ができる。外気負荷と室内負荷（冷房負荷）を個別に処理するので、還気を余分に冷却、再熱するエネルギーが不要で省エネとなり、冷水を流すだけでよいので２管式ですみ、設備コストと運転コストを削減できる。また、冷水でも水熱源ヒートポンプＡは加熱を行えるため、冬期でも冷房が必要な場合、熱源水として冷水のみを流すだけで、還気を還気処理用冷温水コイル１で冷却しかつすくなくとも外気処理用直膨式コイル９で外気を加熱し、この加熱した空気に加湿器５で加湿できる。そのため、２管式の熱源水回路ですみ、ボイラーなどの加熱装置を必要とせず、設備コストと運転コストを削減でき、しかも、冷却と加熱を同時に行うので熱源水に対しての熱移動が相殺されて熱源装置の負担が減り、運転コストを削減できる。
【０００７】
請求項２の発明によれば、水熱源ヒートポンプＡの運転・停止と第２流量制御機構１０により、外気処理用冷温水コイル２と水熱源ヒートポンプＡの外気処理用直膨式コイル９のいずれか一方又は両方で、細かく能力制御できて、強力な冷却・加熱能力を得られる。外気処理用冷温水コイル２の能力を超える負荷変動を水熱源ヒートポンプＡの外気処理用直膨式コイル９にて処理でき、水熱源ヒートポンプＡの分、熱源装置の能力規模を小さくし設備コストを削減できる。還気処理用冷温水コイル１、外気処理用冷温水コイル２及び水熱源ヒートポンプＡに１つずつ連続して通水させて熱交換しているので熱源水の温度変化を通常よりも拡大できる。そのため、空調システム全体における熱源水の往きと還りの温度差が大きくて、熱源装置の運転効率が良くなり省エネとなる。
【０００８】
請求項３の発明によれば、夏期の冷房運転の場合、外気を外気処理用冷温水コイル２で冷却減湿した除湿空気と、還気を還気処理用冷温水コイル１で乾き冷却した（前記除湿空気より高温の）空気と、を所定比率で混合することで再熱せずに給気の温湿度制御ができる。外気負荷と室内負荷（冷房負荷）を個別に処理するので、還気を余分に冷却、再熱するエネルギーが不要で省エネとなり、冷水を流すだけでよいので２管式ですみ、設備コストと運転コストを削減できる。送風機３を挟むようにして還気処理用冷温水コイル１と外気処理用冷温水コイル２を配置したことにより、外気処理用冷温水コイル２からの還気と外気処理用冷温水コイル２からの外気とが逆方向から接触するので混ざりやすくて給気温度むらが出ず、快適な空調を行える。
【０００９】
請求項４の発明によれば、外気処理用冷温水コイル２及び還気処理用冷温水コイル１に１つずつ連続して通水させて熱交換しているので熱源水の温度変化を通常よりも拡大できる。そのため、空調システム全体における熱源水の往きと還りの温度差が大きくて、熱源装置の運転効率が良くなり省エネとなる。第１流量制御機構４で還気処理用冷温水コイル１と外気処理用冷温水コイル２を能力制御して負荷変動に容易に対応できる。
【００１０】
請求項５の発明によれば、送風機３に入る還気と外気の圧力バランスがとれて、風量混合比が安定化し、精度良く給気の温湿度制御ができる。
【００１１】
請求項６の発明によれば、夏期の冷房運転の場合、外気を外気処理用冷温水コイル２と外気処理用直膨式コイル９で冷却減湿した除湿空気と、この除湿空気よりも高温の還気と、を機内で所定比率で混合することで再熱せずに温湿度調整した空気を給気できる。外気負荷を室内負荷（冷房負荷）と別に処理するので、還気を余分に冷却、再熱するエネルギーが不要で省エネとなり、冷水を流すだけでよいので２管式ですみ、設備コストと運転コストを削減できる。機内で還気と低温の除湿空気を混合するので室内側で結露対策などの設備が不要となりコストダウンを図れる。外気負荷に加えて室内負荷の一部も処理することで、室内用空調機の数を減らしコストダウンを図れる。また、冷水でも水熱源ヒートポンプＡは加熱を行えるため、冬期でも冷房が必要な場合、熱源水として冷水のみを流すだけで、すくなくとも外気処理用直膨式コイル９で外気を加熱し、この加熱した空気に加湿器５で加湿できる。そのため、２管式の熱源水回路ですみ、ボイラーなどの加熱装置を必要とせず、設備コストと運転コストを削減できる。
【００１２】
請求項７の発明によれば、水熱源ヒートポンプＡの運転・停止と第２流量制御機構１０により、外気処理用冷温水コイル２と水熱源ヒートポンプＡの外気処理用直膨式コイル９のいずれか一方又は両方で、細かく能力制御でき、強力な冷却・加熱能力を得られる。外気処理用冷温水コイル２及び水熱源ヒートポンプＡに１つずつ連続して通水させて熱交換しているので熱源水の温度変化を通常よりも拡大できる。そのため、空調システム全体における熱源水の往きと還りの温度差が大きくて、熱源装置の運転効率が良くなり省エネとなる。冷温水コイル２の能力を超える負荷変動を水熱源ヒートポンプＡの外気処理用直膨式コイル９にて処理でき、水熱源ヒートポンプＡの分、熱源装置の能力規模を小さくし設備コストを削減できる。
【００１３】
請求項８の発明によれば、夏期の冷房運転の場合、外気を外気処理用冷温水コイル２で冷却減湿した除湿空気と、この除湿空気よりも高温の還気と、を機内で所定比率で混合することで再熱せずに温湿度調整した空気を給気できる。外気負荷を室内負荷（冷房負荷）と別に処理するので、還気を余分に冷却、再熱するエネルギーが不要で省エネとなり、冷水を流すだけでよいので２管式ですみ、設備コストと運転コストを削減できる。機内で還気と低温の除湿空気とを混合するので室内側で結露対策などの設備が不要となりコストダウンを図れる。外気負荷に加えて室内負荷の一部も処理することで、室内用空調機の数を減らしコストダウンを図れる。送風機３を挟むようにして還気取入口１６と外気処理用冷温水コイル２を配置したことにより、還気と外気処理用冷温水コイル２からの外気とが逆方向から接触するので混ざりやすくて給気温度むらが出ず、快適な空調を行える。
【００１４】
請求項９の発明によれば、例えば中間期で室内冷房負荷が大きな場合などに外気ダンパ３０を開いて、屋外から取入れたままで熱交換をしていない生外気を全給気風量分まで室内に供給することにより、還気を冷却せずに外気だけで冷房ができ省エネとなる。また、外気処理用コイルで冷却した外気と、外気ダンパ３０からの生外気と、を所定比率で混合することで温湿度制御も可能となる。還気側にダンパを余分に設けなくとも、外気ダンパ３０の開放で生じる外気側と還気側の圧力差によって、全給気風量に対する外気風量の割合を増やすことができるので、ダンパなどの設備コストの削減を図れる。
【実施例】
【００１５】
図１は、本発明の除湿空調機の第１の実施例を示しており、この除湿空調機は、ケーシング６内に、還気を熱交換する還気処理用冷温水コイル１と、外気を熱交換する外気処理用冷温水コイル２及び水熱源ヒートポンプＡの外気処理用直膨式コイル９と、外気を加湿する加湿器５と、還気処理用冷温水コイル１を通った還気と外気処理用冷温水コイル２、外気処理用直膨式コイル９及び加湿器５を通った外気とを混合して給気する吸込み式の送風機３と、を備えている。図例では、風上から風下に向かって順に外気処理用冷温水コイル２、外気処理用直膨式コイル９、再熱器１５、加湿器５を設けているが配置順序の変更は自由である。この還気処理用冷温水コイル１と、外気処理用冷温水コイル２、外気処理用直膨式コイル９及び加湿器５と、を隔てて対向配置し、その間に、送風機３を配置して、還気と外気を混合し易くする。ケーシング６の上面には、還気取入口１６と外気取入口１７と給気口１８と熱源水出入口配管とを設ける。外気取入口１７は屋外とダクト等を介して連通させ、還気取入口１６と給気口１８は室内とダクト等を介してそれぞれ連通させる。実線及び点線の白抜き矢印は送風方向を示す。
【００１６】
また、熱源水が還気処理用冷温水コイル１、外気処理用冷温水コイル２及び水熱源ヒートポンプＡに任意の順序で１つずつ通水されるように構成すると共に、外気処理用冷温水コイル２への熱源水の一部又は全部をバイパスさせて外気処理用冷温水コイル２の熱源水流量を制御する第２流量制御機構１０と、還気処理用冷温水コイル１への熱源水の一部又は全部をバイパスさせて還気処理用冷温水コイル１の熱源水流量を制御する第１流量制御機構４と、を設ける。これにより、外気処理用冷温水コイル２の水量を変化させても第２流量制御機構１０によって熱源水がバイパスするので還気処理用冷温水コイル１や水熱源ヒートポンプＡの水量が変化することがなく、能力むらの無い安定した運転を行える。同様に、還気処理用冷温水コイル１の水量を変化させても第１流量制御機構４によって熱源水がバイパスするので外気処理用冷温水コイル２や水熱源ヒートポンプＡの水量が変化することがなく、能力むらの無い安定した運転を行える。図例では、還気処理用冷温水コイル１に通水後の熱源水を外気処理用冷温水コイル２に通水し、外気処理用冷温水コイル２に通水後の熱源水を水熱源ヒートポンプＡの水熱交換器１１に通水するように直列に配管して構成すると共に、第２流量制御機構１０は外気処理用冷温水コイル２の熱源水出入口をバイパスするバイパス流路１３と三方弁などの流量調整弁１４などにて構成し、第１流量制御機構４は還気処理用冷温水コイル１の熱源水出入口をバイパスするバイパス流路７と三方弁などの流量調整弁８などにて構成しているが、通水順序や流量制御機構の構成の変更は自由である。
【００１７】
図１の除湿空調機では、室内負荷に応じて第１流量制御機構４を作動させ還気処理用冷温水コイル１にて還気を冷却又は加熱し、外気負荷に応じて第２流量制御機構１０を作動させ外気処理用冷温水コイル２と外気処理用直膨式コイル９の一方又は両方にて外気を冷却又は加熱した後、両空気を混合し、室内に給気して空調する。冷水又は温水の熱源水は配管等から成る熱源水回路を循環し、熱源装置で温度調整される（図示省略）。送風機３の空気入口において、還気と外気の圧力差がなくなるように還気側（還気処理用冷温水コイル１）と外気側（外気処理用冷温水コイル２と外気処理用直膨式コイル９）のいずれか一方のコイルの伝熱管を丸管にしかつ他方のコイルの伝熱管を前記丸管より低圧損の楕円管にするのが好ましいが、還気処理用冷温水コイル１と外気処理用冷温水コイル２と外気処理用直膨式コイル９の伝熱管を適宜、楕円管や円形管にするも自由である。
【００１８】
水熱源ヒートポンプＡは、循環冷媒に対して蒸発・圧縮・凝縮・膨張の工程順を繰返し、この循環冷媒と熱交換する空気や熱源水などに対して冷媒蒸発工程で吸熱を冷媒凝縮工程で放熱を各々行うもので、循環冷媒の蒸発工程と凝縮工程であって互いに異なる工程を行う外気処理用直膨式コイル９及び熱源水が通水される水熱交換器１１と、循環冷媒を圧縮する圧縮機１２と、循環冷媒を膨張させる膨張弁等の減圧機構３１と、外気処理用直膨式コイル９及び水熱交換器１１の蒸発工程と凝縮工程を切換えるバルブ等の切換機構３２と、を少なくとも備え、これらを冷媒が循環するように配管接続して成る。この水熱源ヒートポンプＡにより、たとえば４５℃の温水を水熱交換器１１に流して外気処理用直膨式コイル９で空気を冷却したり、たとえば１０℃の冷水を水熱交換器１１に流して外気処理用直膨式コイル９で空気を加熱したりすることができる。図例では、水熱源ヒートポンプＡの圧縮機１２からのホットガスを再熱媒体に用いた冷媒−空気熱交換用の再熱器１５を設けているが省略するも自由である。
【００１９】
この除湿空調機で夏期に冷房運転をする場合、外気を外気処理用冷温水コイル２と外気処理用直膨式コイル９の一方又は両方で冷却減湿した除湿空気と、還気を還気処理用冷温水コイル１で乾き冷却した空気と、を所定比率（例えば３：７）で混合すると、前記乾き冷却した空気で、これよりも低温低湿の前記除湿空気を再熱するのと同じ効果が得られ、給気を温湿度制御できる。例えば、やや温度が高くとも湿度の低い（不快指数の低い）空気を給気し、快適空調を行える。この場合、例えば、熱源水として７℃の冷水を流すと、還気処理用冷温水コイル１による熱交換で熱源水が７℃から１０℃へ温度上昇し、さらに外気処理用冷温水コイル２と外気処理用直膨式コイル９の一方又は両方による熱交換で熱源水が１０℃から１７℃へ温度上昇し、空調システム全体における熱源水の往きと還りの温度差がΔｔ１０℃と大きくなる。熱源装置に戻った熱源水は温度調整され、熱源水回路を循環する。なお、再熱器１５を用いて給気を温湿度制御するも自由である。
【００２０】
また、冬期でも冷房運転する場合、熱源水として冷水のみを流すだけで、還気を還気処理用冷温水コイル１で冷却し、かつ、低温の外気を外気処理用冷温水コイル２と外気処理用直膨式コイル９の一方又は両方で加熱し、加熱により加湿し易くした空気を加湿器５で加湿して温度を下げ、冷却した還気と混合して温湿度制御し給気することができる。なお、熱源水温が外気温より高く加熱可能なときは外気処理用冷温水コイル２へ通水し、逆の場合は通水を停止する。この場合、例えば、熱源水として１２℃の冷水を流すと、還気処理用冷温水コイル１による熱交換で熱源水が例えば１２℃から１３．５℃へ温度上昇し、さらに外気処理用冷温水コイル２と外気処理用直膨式コイル９の一方又は両方による熱交換で熱源水が１３．５℃から１１℃へ温度降下して相殺され、空調システム全体における熱源水の往きと還りの温度差がΔｔ１℃と僅かとなる。なお、前述の熱源水の温度差の増減や設定値は一例で、その変更は自由である。
【００２１】
冬期に暖房運転する場合、外気を外気処理用冷温水コイル２と外気処理用直膨式コイル９の一方又は両方で加熱し、加湿器５で加湿して湿度調整した空気と、還気を還気処理用冷温水コイル１で加熱した空気と、を所定比率で混合することで給気を温湿度制御できる。このとき、外気処理用冷温水コイル２と外気処理用直膨式コイル９に加えて再熱器１５で外気を加熱してもよく、再熱器１５の分、伝熱面積が増えて省エネとなる。なお、図示省略するが、２管式の熱源水回路の往き管から外気処理用冷温水コイル２と還気処理用冷温水コイル１に個々に熱源水が入り、水熱交換器１１と還気処理用冷温水コイル１から個々に熱源水回路の還り管に出るように配管して構成したり、ケーシング６の外気取入口１７や還気取入口１６に風量調整ダンパを設けるも自由である。
【００２２】
図２は第２の実施例で、第１の実施例において、水熱源ヒートポンプＡを省略したもので、この除湿空調機は、ケーシング６内に、還気を熱交換する還気処理用冷温水コイル１と、外気を熱交換する外気処理用冷温水コイル２と、還気処理用冷温水コイル１を通った還気と外気処理用冷温水コイル２を通った外気とを混合して給気する吸込み式の送風機３と、外気処理用冷温水コイル２からの外気を加湿する加湿器５と、を備え、還気処理用冷温水コイル１と、外気処理用冷温水コイル２及び加湿器５と、を隔てて対向配置し、その間に、送風機３を配置し、ケーシング６の上面に、給気口１８と還気取入口１６と外気取入口１７と熱源水出入口配管とを設ける。外気取入口１７は屋外とダクト等を介して連通させ、還気取入口１６と給気口１８は室内とダクト等を介してそれぞれ連通させる。
【００２３】
また、熱源水が還気処理用冷温水コイル１及び外気処理用冷温水コイル２に任意の順序で１つずつ通水されるように構成すると共に、還気処理用冷温水コイル１への熱源水の一部又は全部をバイパスさせて還気処理用冷温水コイル１の熱源水流量を制御する第１流量制御機構４を、設ける。これにより、還気処理用冷温水コイル１の水量を変化させても第１流量制御機構４によって熱源水がバイパスするので外気処理用冷温水コイル２の水量が変化することがなく、能力むらの無い安定した運転を行える。図例では、外気処理用冷温水コイル２に通水後の熱源水を還気処理用冷温水コイル１に通水するように直列に配管して構成すると共に、第１流量制御機構４は、還気処理用冷温水コイル１の熱源水出入口をバイパスするバイパス流路７と三方弁などの流量調整弁８などにて構成しているが通水順序や流量制御機構の構成の変更は自由である。図２の除湿空調機では、負荷に応じて第１流量制御機構４を作動させ、外気処理用冷温水コイル２にて外気を冷却又は加熱し、還気処理用冷温水コイル１にて還気を冷却又は加熱した後、両空気を混合し、室内に給気して空調する。送風機３の空気入口において、還気と外気の圧力差がなくなるように還気側（還気処理用冷温水コイル１）と外気側（外気処理用冷温水コイル２）のいずれか一方のコイルの伝熱管を丸管にしかつ他方のコイルの伝熱管を前記丸管より低圧損の楕円管にするのが好ましいが、還気処理用冷温水コイル１と外気処理用冷温水コイル２の伝熱管を適宜、楕円管や円形管にするも自由である。
【００２４】
この除湿空調機で夏期に冷房運転をする場合、外気を外気処理用冷温水コイル２で冷却減湿した除湿空気と、還気を還気処理用冷温水コイル１で乾き冷却した空気と、を所定比率で混合すると、前記乾き冷却した空気で、これよりも低温低湿の前記除湿空気を再熱するのと同じ効果が得られ、給気を温湿度制御できる。この場合も、外気処理用冷温水コイル２による熱交換で熱源水が温度上昇し、続いて、還気処理用冷温水コイル１による熱交換で熱源水がさらに温度上昇し、空調システム全体における熱源水の往きと還りの温度差が大きくなる。
【００２５】
冬期に暖房運転する場合、外気を外気処理用冷温水コイル２で加熱し、加湿器５で加湿して湿度調整した空気と、還気を還気処理用冷温水コイル１で加熱した空気と、を所定比率で混合することで給気を温湿度制御できる。なお、図示省略するが、外気処理用冷温水コイル２を水量制御する流量調整弁を設けたり、２管式の熱源水回路の往き管から外気処理用冷温水コイル２と還気処理用冷温水コイル１に個々に熱源水が入り、外気処理用冷温水コイル２と還気処理用冷温水コイル１から個々に熱源水回路の還り管に出るように配管して構成したり、ケーシング６の外気取入口１７や還気取入口１６に風量調整ダンパを設けるも自由である。
【００２６】
図３は第３の実施例で、第１の実施例において、還気処理用冷温水コイル１を省略したもので、この除湿空調機は、ケーシング６内に、外気を熱交換する外気処理用冷温水コイル２及び水熱源ヒートポンプＡの外気処理用直膨式コイル９と、外気を加湿する加湿器５と、還気と外気処理用冷温水コイル２、外気処理用直膨式コイル９及び加湿器５を通った外気とを混合して給気する吸込み式の送風機３と、を備え、還気取入口１６と、外気処理用冷温水コイル２、外気処理用直膨式コイル９及び加湿器５と、を隔てて配置し、その間に、送風機３を配置し、ケーシング６の上面には、還気取入口１６と外気取入口１７と給気口１８と熱源水出入口配管とを設ける。また、熱源水が外気処理用冷温水コイル２及び水熱源ヒートポンプＡに任意の順序で１つずつ通水されるように構成すると共に、外気処理用冷温水コイル２への熱源水をバイパスさせて外気処理用冷温水コイル２の熱源水流量を制御する第２流量制御機構１０を設けたもので、その他の構成は第１の実施例と同様であるので詳細は省略する。これにより、外気処理用冷温水コイル２の水量を変化させても第２流量制御機構１０によって熱源水がバイパスするので水熱源ヒートポンプＡの水量が変化することがなく、能力むらの無い安定した運転を行える。図例では、外気処理用冷温水コイル２に通水後の熱源水を水熱源ヒートポンプＡの水熱交換器１１に通水するように構成しているが、通水順序の変更は自由である。この除湿空調機では、負荷に応じて第２流量制御機構１０を作動させ、外気処理用冷温水コイル２と外気処理用直膨式コイル９の一方又は両方にて外気を冷却又は加熱した後、機内で還気と混合し、室内に給気する。室内負荷は各種の循環空調機で処理する（図示省略）。
【００２７】
夏期に外気を冷却して給気する場合、外気を外気処理用冷温水コイル２と外気処理用直膨式コイル９で冷却減湿した除湿空気を、還気と所定比率で混合すると、還気で、これよりも低温低湿の前記除湿空気を再熱するのと同じ効果が得られ、給気を温湿度制御できる。なお、再熱器１５を用いて給気を温湿度制御するも自由である。また、冬期に外気を冷却して給気する場合、熱源水として冷水のみを流すだけで、低温の外気を外気処理用冷温水コイル２と外気処理用直膨式コイル９の一方又は両方で加熱し、加熱により加湿し易くした空気を加湿器５で加湿して温度を下げ、還気と混合して温湿度制御し給気することができる。なお、熱源水温が外気温より高く加熱可能なときは外気処理用冷温水コイル２へ通水し、逆の場合は通水を停止する。冬期に外気を加熱して給気する場合、外気を外気処理用冷温水コイル２と外気処理用直膨式コイル９の一方又は両方で加熱し、加湿器５で加湿して湿度調整した空気と、還気を所定比率で混合することで給気を温湿度制御できる。このとき、外気処理用冷温水コイル２と外気処理用直膨式コイル９に加えて再熱器１５で外気を加熱してもよく、再熱器１５の分、伝熱面積が増えて省エネとなる。なお、図３の除湿空調機で、外気負荷だけでなく室内負荷の一部も処理させるように構成するも自由である。また、図１と図３の実施例において、もう１つの新たな加湿器を外気処理用冷温水コイル２と外気処理用直膨式コイル９との間に配置するも自由である。
【００２８】
図４は第４の実施例で、第２の実施例において、還気処理用冷温水コイル１を省略したもので、この除湿空調機は、ケーシング６内に、外気を熱交換する外気処理用冷温水コイル２と、還気取入口１６からの還気と外気処理用冷温水コイル２を通った外気とを混合して給気する吸込み式の送風機３と、外気処理用冷温水コイル２からの外気を加湿する加湿器５と、を備え、還気取入口１６と、外気処理用冷温水コイル２及び加湿器５と、を隔てて配置し、その間に、送風機３を配置し、ケーシング６の上面に、給気口１８と還気取入口１６と外気取入口１７と熱源水出入口配管とを設けている。その他の構成は第２の実施例と同様であるので詳細は省略する。
【００２９】
図４の除湿空調機では、外気処理用冷温水コイル２にて外気を冷却又は加熱した後、機内で還気と混合し、室内に給気する。室内負荷は各種循環空調機で処理する。夏期に外気を冷却して給気する場合、外気を外気処理用冷温水コイル２で冷却減湿した除湿空気を、還気と所定比率で混合すると、還気で、これよりも低温低湿の前記除湿空気を再熱するのと同じ効果が得られ、給気を温湿度制御できる。冬期に外気を加熱して給気する場合、外気を外気処理用冷温水コイル２で加熱し、加湿器５で加湿して湿度調整した空気と、還気を所定比率で混合することで給気を温湿度制御できる。なお、図４の除湿空調機で、外気負荷だけでなく室内負荷の一部も処理させるように構成するも自由である。
【００３０】
図５〜図８は、図１〜図４の各実施例において、外気取入口１７からの外気を送風機３までバイパスさせる外気ダンパ３０をケーシング６内に設け、外気冷房自在とした実施例である。外気ダンパ３０は、比例制御又はオンオフ制御で外気のバイパス比率を全給気風量まで制御自在に構成する。
【００３１】
なお、図示省略するが、前記各実施例において、給気口１８と還気取入口１６と外気取入口１７と熱源水出入口をケーシング６の上面に設けて、ダクトや配管の施工を容易にし周囲に余分なスペースを取らずに済むようにしているが、これらを側面に設けるも自由である。あるいは、ケーシング６を分割構造として、キャンバス継手などを介して又は直接、着脱自在に連結してケーシング６を構成してもよい。また、送風機３をコイルの風上に各々設けて押込み式に送風して混合したり、外気と還気の混合比率を変更したりするも自由である。
【図面の簡単な説明】
【００３２】
【図１】本発明の第１の実施例の簡略説明図である。
【図２】本発明の第２の実施例の簡略説明図である。
【図３】本発明の第３の実施例の簡略説明図である。
【図４】本発明の第４の実施例の簡略説明図である。
【図５】本発明の第５の実施例の簡略説明図である。
【図６】本発明の第６の実施例の簡略説明図である。
【図７】本発明の第７の実施例の簡略説明図である。
【図８】本発明の第８の実施例の簡略説明図である。
【符号の説明】
【００３３】
１    還気処理用冷温水コイル
２    外気処理用冷温水コイル
３    送風機
４    第１流量制御機構
５    加湿器
９    外気処理用直膨式コイル
１０  第２流量制御機構
１６  還気取入口
１７  外気取入口
３０  外気ダンパ
Ａ    水熱源ヒートポンプ
【図１】
2008070097.tif 000003
【図２】
2008070097.tif 000004
【図３】
2008070097.tif 000005
【図４】
2008070097.tif 000006
【図５】
2008070097.tif 000007
【図６】
2008070097.tif 000008
【図７】
2008070097.tif 000009
【図８】
2008070097.tif 000010